(57)【要約】【課題】本発明は、加熱ロールの温度分布が不均一であることによる定着不良の障害や用紙ジャムの発生を防止することを課題とする。【解決手段】本発明は、用紙上に転写されたトナー像を加圧・加熱することにより定着するための加熱ロール及び加圧ロールと、前記加熱ロールを加熱するための複数のヒータランプと、前記加熱ロールの表面温度を検出する温度検出手段と、印刷する用紙の幅を検出する用紙幅検出手段とを有し、前記温度検出手段と用紙幅検出手段の検出情報をもとに、前記ヒータランプを選択的に点灯させるようにした電子写真方式印刷装置において、前記選択されたヒータランプに対応して、前記加熱ロールの制御温度を変えることを特徴とする。【選択図】図１
2004258580.tif 000002
【特許請求の範囲】
【請求項１】
用紙上に転写されたトナー像を加圧・加熱することにより定着するための加熱ロール及び加圧ロールと、前記加熱ロールを加熱するための複数のヒータランプと、前記加熱ロールの表面温度を検出する温度検出手段と、印刷する用紙の幅を検出する用紙幅検出手段とを有し、前記温度検出手段と用紙幅検出手段の検出情報をもとに、前記ヒータランプを選択的に点灯させるようにした電子写真方式印刷装置において、前記選択されたヒータランプに対応して、前記加熱ロールの制御温度を変えることを特徴とする電子写真方式印刷装置の定着部温度制御方法。
【請求項２】
前記制御温度は、印刷用紙の幅が広い場合に高く、印刷用紙の幅が狭い場合に低くすることを特徴とする請求項１に記載の電子写真方式印刷装置の定着部温度制御方法。
【発明の詳細な説明】
【０００１】
【発明の属する技術分野】
本発明は、電子写真方式を用いた印刷装置の定着部における温度制御方法に関するものである。
【０００２】
【従来の技術】
図３は、電子写真方式印刷装置の定着機構部の概略構成を示した図である。図２に示すように電子写真方式印刷装置の定着機構部は、用紙上のトナー像を加熱するための加熱ロール１と用紙上のトナー像を加圧し、搬送するための加圧ロール６、加熱ロール１に熱を与えるために幅の広い用紙に対応したフィラメント９を配置したヒータランプ２、幅の狭い用紙に対応したフィラメント９を配置したヒータランプ８、加熱ロール１の中心部に実装され、加熱ロール１の表面温度を検出するための温度検出手段である温度検出部３、温度検出部３の出力電圧を認識してヒータランプ２、ヒータランプ８の点灯、消灯を制御するためのマイコン４、マイコン４からの指示によりヒータランプ２、ヒータランプ８に給電する電源５により構成されている。図中７は、用紙幅検出手段である用紙幅センサを示す。
【０００３】
次に定着機構部の温度制御方法について説明する。電源５を投入すると、加熱ロール１の表面温度が規定温度になるまでの間、マイコン４は温度検出部３の出力電圧を読み込み、電源５へヒータランプＯＮ信号を出力することにより、ヒータランプ２に給電する。加熱ロール１の表面温度が印刷可能な規定温度に達すると、電子写真方式印刷装置は印刷待機状態となる。印刷待機状態になると、用紙幅センサ７により読み込んだ用紙幅に応じて、幅の広い用紙幅時に選択するヒータランプ２、幅の狭い用紙の時に選択するヒータランプ８の切り替えを行なう。
【０００４】
印刷待機中、及び印刷実行中は、加熱ロール１の表面温度を印刷可能な規定温度Ａに保つために、マイコン４は加熱ロール１の表面温度が規定温度より低くなった場合はヒータランプ２、またはヒータランプ８を点灯し、加熱ロール１の表面温度が規定温度より高くなった場合はヒータランプ２、またはヒータランプ８を消灯する（例えば、特許文献１参照。）。
【０００５】
次に図４を用いて加熱ロール表面の温度分布について説明する。加熱ロール１の表面温度は、温度検出部３が実装されている中央部はマイコン４により制御しているため、規定温度Ａとなる。しかし、加熱ロール１の端部は、熱が奪われやすいため中央部に対して低くなっている。特許公開平１０−３０１４３８記載の従来の技術は、予め加熱ロール１の端部の表面温度が低くなることを想定し、印刷する用紙の最大用紙幅の位置で用紙が定着可能な温度Ｂとなるように、温度検出部３で制御する規定温度Ａを設定している。
【特許文献１】
特開平１０−３０１４３８号公報
【０００６】
【発明が解決しようとする課題】
従来技術では、温度検出部が実装されている加熱ロール中央部は規定温度となるが、熱の奪われやすい加熱ロールの端部の温度は中央部に比べて低くなるため、用紙に一定量の熱を与えることが出来なかった。このため、低温環境にて幅の広い用紙を印刷した場合は用紙の端部の定着が弱くなり、定着不良となる問題が発生した。一方、幅の狭い用紙を印刷した場合は加熱ロール中央部の温度が高く用紙に過大な熱を与えるため、用紙が収縮して用紙の反りが大きくなり、用紙ジャムとなる問題が発生した。定着不良や用紙の反りを防止するためにヒータランプを追加する方法があるが、定着機構部及び電源が大型になるため、小型で低コストの電子写真方式印刷装置を実現することが困難であった。
【０００７】
本発明の目的は、上記問題点を解決し、小型で低コストの電子写真方式印刷装置を提供することである。
【０００８】
【課題を達成するための手段】
上記の目的は、点灯するヒータランプに対応して加熱ロールの制御温度を変えることにより達成される。
【０００９】
【発明の実施の形態】
本発明における電子写真方式印刷装置の温度制御方法の実施例を図１〜図３を用いて説明する。図１と図２は、本発明における加熱ロール表面温度分布を示し、図３は、電子写真方式印刷装置の定着機構部の概略構成を示した図である。図３の定着機構部の構成については前述したので、説明を省略する。
【００１０】
前述した定着機構部にて印刷した場合、規定の定着強度を確保し、熱による用紙ダメージを与えない理想的な加熱ロール１の表面温度は１６０℃である。本実施例の電子写真式印刷装置は、印刷可能な用紙幅が６．５インチから１６インチであり、６．５インチ幅から９．５インチ幅の幅の狭い用紙の場合ヒータランプ８を選択し、１０インチ幅から１６インチ幅の幅の広い用紙の場合はヒータランプ２を選択する。
【００１１】
次ぎに、ヒータランプ８とヒータランプ２を切り替えたときに加熱ロール１の表面温度を変化させる動作について説明する。
【００１２】
電子写真方式印刷装置が印刷待機状態となり用紙が装填されると、用紙幅を検出するセンサ７によりマイコン４が印刷する用紙の幅を認識する。図１に示すように１６インチ幅の用紙が装填された場合は、当該用紙の幅が１０インチ幅から１６インチ幅の範囲であるため、マイコン４は幅の広い用紙と認識する。幅の広い用紙の場合は、ヒータランプをヒートロールの全面にフィラメント９を配置したヒータランプ２へ切り替え、更に加熱ロール１の中心部の温度が１８０℃となるように制御し、用紙の端部の温度が定着可能な温度である１６０℃となるようにする。これにより、用紙の端部の定着強度を確保し、定着不良が防止される。
【００１３】
図２に示すように、９インチ幅の用紙が装填された場合は、当該用紙の幅が６．５インチ幅から９．５インチ幅の範囲であるため、マイコン４は幅の狭い用紙と認識する。幅の狭い用紙の場合、ヒータランプ２をヒートロールの中央部のみにフィラメント９を配置したヒータランプ８へ切り替え、更に用紙に過大な熱を与えないために加熱ロール１の表面温度が１６０℃となるように制御する。これにより、用紙に過大な熱量を与えることによる用紙の反りと用紙反りによる用紙のジャムを防止し、安定した用紙走行を実現する。
【００１４】
【発明の効果】
本発明によれば、選択点灯されるヒータランプに対応して加熱ロールの制御温度を変えるようにしたので、用紙に過大な熱量を与えずに用紙を搬送でき、安定した用紙走行で定着不良の障害を防ぐことができる。
【図面の簡単な説明】
【図１】本発明による印刷装置の加熱ロール表面温度分布図である。
【図２】本発明による印刷装置の加熱ロール表面温度分布図である。
【図３】印刷装置の定着機構部概略構成図である。
【図４】従来技術の印刷装置の加熱ロール表面温度分布図である。
【符号の説明】
１は加熱ロール、２はヒータランプ、３は温度検出部、４はマイコン、５は電源、６は加圧ロール、７は用紙幅センサ、８はヒータランプ、９はフィラメントである。
【図１】
2004258580.tif 000003
【図２】
2004258580.tif 000004
【図３】
2004258580.tif 000005
【図４】
2004258580.tif 000006